(57)【特許請求の範囲】
【請求項１】
角筒状の外側容器保持筒と該外側容器保持筒内に配設した角筒状の内側容器保持筒を備え、前記外側容器保持筒と前記内側容器保持筒との間に紙容器を開いた注ぎ口端部から底壁近傍の部分まで挿入可能な角筒状の容器挿入空間が長手方向全体に渡って設けられた容器保持用の本体と、
前記紙容器を前記容器挿入空間に挿入させる際に、前記紙容器を注ぎ口端縁から底壁近傍の部分まで切断可能に前記容器挿入空間の開放端部に位置させて前記本体に取り付けられた固定切断刃と、
前記本体に設けられて前記紙容器の底壁側の端部を前記容器挿入空間から突出させた状態で前記紙容器の開放端縁を当接させるストッパと、
前記本体の前記容器挿入空間の開放端の縁部周縁に沿って移動可能に前記本体に取り付けられて、移動に伴い前記容器挿入空間に挿入された前記紙容器の底壁側の3つの側面に渡って端部を切断する可動切断刃を備えることを特徴とする紙容器切断展開処理器。
【請求項２】
請求項１に記載の紙容器切断展開処理器において、前記ストッパは前記紙容器の底壁から開放端縁までの長さに応じた位置に着脱可能に設けられることを特徴とする紙容器切断展開処理器。
【請求項３】
請求項１又は２に記載の紙容器切断展開処理器において、前記固定切断刃は前記容器挿入空間の開放端側のコーナ部内に先端部が傾斜するように配設されていることを特徴とする紙容器切断展開処理器。
【請求項４】
請求項１〜３のいずれか一つに記載の紙容器切断展開処理器において、前記外側容器保持筒の上端部内周縁部及び前記内側容器保持筒の上端部外周縁部には、前記紙容器の開いた注ぎ口端部を前記容器挿入空間に挿入させる際に、前記注ぎ口端部を前記容器挿入空間内に案内するガイド面が設けられていることを特徴とする紙容器切断展開処理器。
【請求項５】
請求項１〜４のいずれか一つに記載の紙容器切断展開処理器において、前記可動切断刃は前記本体に回動可能に取り付けられた可動アームに保持されていることを特徴とする紙容器切断展開処理器。
【請求項６】
請求項５に記載の紙容器切断展開処理器において、観音開き状に開くことが可能で且つ閉じたときに前記可動アームを覆うことが可能な一対の蓋体が前記本体に取り付けられていると共に、閉じた一対の前記蓋体を固定可能なロック装置が設けられていることを特徴とする紙容器切断展開処理器。
【発明の詳細な説明】
【技術分野】
【０００１】
この発明は、例えば直方体状の牛乳パックやジュース用の紙パック等の紙容器を平面状に開くために切断する紙容器切断展開処理器に関するものである。
【背景技術】
【０００２】
従来の紙パック容器としては、例えば直方体形状の牛乳パック容器やジュース等の直方体形状の飲料容器等の紙容器がある。このような紙パック容器を資源として回収して再利用する場合、回収時にかさばることがないようにするため、紙パック容器を切断して平面状に展開処理する必要がある。
【０００３】
この展開処理に際しては、紙パック容器の開口部を完全に開き、これを水洗いした後、その紙パック容器を包丁，はさみ等の刃物を用いて切り開く必要がある。しかし、切断に手間がかかると云う煩わしさがあると共に、包丁やカッター等は安全性を確保しながら使用する必要があるので、リサイクル運動が一般に普及し難いのが現状である。
【０００４】
これを解決するために、紙パック容器の隣接する面の稜線に沿う方向に移動させることができるカッターを設けて、紙パック容器の隣接する面の一方を稜線に沿って切断できるようにした切断処理器が考えられている（例えば特許文献１参照）。
【特許文献１】特開平５−２１２６９４号公報
【発明の開示】
【発明が解決しようとする課題】
【０００５】
しかしながら、この切断処理器は、作業者が手で掴んで使用するものであるため、必ずしも紙パック容器の隣接する面の一方を稜線に沿って直線的に切断処理ができないものであった。
【０００６】
そこで、この発明は、熟練を要していない作業者でも直方体状の紙容器の側部を注ぎ口端縁から底壁近傍の部分まで一稜線に沿って直線的に切断処理でき、更に底壁側の端部の３つの側面を直線的に切断処理でき、展開状とすることができる紙容器切断展開処理器を提供することを目的とするものである。
【課題を解決するための手段】
【０００７】
この目的を達成するために、この発明の紙容器切断展開処理器は、  角筒状の外側容器保持筒と該外側容器保持筒内に配設した角筒状の内側容器保持筒を備え、前記外側容器保持筒と前記内側容器保持筒との間に紙容器を開いた注ぎ口端部から底壁近傍の部分まで挿入可能な角筒状の容器挿入空間が長手方向全体に渡って設けられた容器保持用の本体と、前記紙容器を前記容器挿入空間に挿入させる際に、前記紙容器を注ぎ口端縁から底壁近傍の部分まで切断可能に前記容器挿入空間の開放端部に位置させて前記本体に取り付けられた固定切断刃と、前記本体に設けられて前記紙容器の底壁側の端部を前記容器挿入空間から突出させた状態で前記紙容器の開放端縁を当接させるストッパと、前記本体の前記容器挿入空間の開放端の縁部周縁に沿って移動可能に前記本体に取り付けられて、移動に伴い前記容器挿入空間に挿入された前記紙容器の底壁側の3つの側面に渡って端部を切断する可動切断刃を備えることを特徴とする。
【発明の効果】
【０００８】
この構成によれば、熟練を要していない作業者でも直方体状の紙容器を、その側部を注ぎ口端縁から底壁近傍の部分まで一稜線に沿って直線的に切断処理でき、更に前記底壁の一辺を残して切断処理でき、展開状とすることができる。
【図面の簡単な説明】
【０００９】
【図１】この発明にかかる紙容器切断展開処理器の斜視図である。
【図１Ａ】（ａ）は図１のＡ１−Ａ１線に沿う断面図、（ｂ），（ｃ）はストッパーピンの他の例を示す説明図である。
【図１Ｂ】図１ＡのＡ２−Ａ２線に沿う断面図である。
【図１Ｃ】図１の紙容器切断展開処理器に用いられる固定切断刃位置の拡大斜視図である。
【図１Ｄ】図１の紙容器切断展開処理器に用いられる可動切断刃位置の拡大斜視図である。
【図２】図１の紙容器切断展開処理器の不使用時の格納状態斜視図である。
【図３】図２の蓋体を開いた使用状態の紙容器切断展開処理器の斜視図である。
【図４】図３の可動アームを紙容器切断開始位置まで回動させた状態を示す斜視図である。
【図５】図４の紙容器切断展開処理器の容器挿入空間に紙容器を挿入する際の説明図である。
【図６】（ａ）は図５の紙容器が容器挿入空間内に挿入された状態の説明図、（ｂ）は紙容器を可動切断刃で切断する初期の説明図である。
【図７】図６の紙容器の底壁側の部分を可動アームの可動切断刃で切断する際の説明図である。
【図８】図６の紙容器の底壁側の部分が切断された状態の説明図である。
【図９】図８の紙容器を取り出した状態の説明図である。
【図１０】図９紙容器の底壁側の未切断部の説明図である。
【図１１】図１０に示した紙容器の未切断部を切断後の紙容器の展開説明図である。
【発明を実施するための最良の形態】
【００１０】
以下、この発明の実施の形態を図面に基づいて説明する。
[構成]
図１はこの発明にかかる紙容器切断展開処理器の斜視図、図１Ａ（ａ）は図１のＡ１−Ａ１線に沿う断面図、図１Ｂは図１ＡのＡ２−Ａ２線に沿う断面図、図１Ｃは図１の紙容器切断展開処理器に用いられる固定切断刃位置の拡大斜視図、図１Ｄは図１の紙容器切断展開処理器に用いられる可動切断刃位置の拡大斜視図である。
【００１１】
図１に示した紙容器切断展開処理器は、角筒状の容器保持筒１と、容器保持筒（容器保持用の本体）１に取り付けられる固定切断刃２と、容器保持筒１に取り付けられる可動アーム３と、可動アーム３に取り付けられる可動切断刃４と、不使用時に可動切断刃４を可動アーム３と共にカバーして固定保持させるアーム固定装置５を有する。
＜角筒状の容器保持筒１＞
この角筒状の容器保持筒１は、図１，図１Ａ（ａ）に示したように角筒状の外側容器保持筒６と、外側容器保持筒６内に配設された角筒状の内側容器保持筒７を有する。この外側容器保持筒６の上端面と内側容器保持筒７の上端面は同一面に形成されている。しかも、この外側容器保持筒６は、図１，図１Ｂに示したように４つの側壁ａ〜ｄを備え、内側容器保持筒７はそれぞれ側壁ａ〜ｄに対向する側壁ａi〜ｄｉを有する。
【００１２】
また、容器保持筒１は、図１Ａ（ａ）に示したように容器保持筒６，７の下端部間に嵌着された角筒状のストッパ筒体８をストッパとして有する。この容器保持筒６，７の間には、図１，図１Ａ，図１Ｂから明らかなように、方形状で角筒状の容器挿入空間９が長手方向全体に渡って形成されている。また、ストッパ筒体８は、容器挿入空間９に挿入される直方体状の紙容器３０の下端（開放端）を当接させて、紙容器３０の上端部を容器保持筒６，７の上端より僅かに突出させるようになっている。
【００１３】
更に、外側容器保持筒６の上端部の内周縁部には下方に傾斜するガイド面６ａが形成され、内側容器保持筒７の上端部の外周縁部には下方に傾斜するガイド面７ａが形成されている。このガイド面６ａ，７ａは、紙容器３０の開放端を容器挿入空間９内にガイドさせるようになっている。尚、ガイド面６ａ，７ａは、傾斜面に限定されるものではなく、通常の面取りとは異なる大きなＲ面（円弧状面）であっても良い。
【００１４】
また、外側容器保持筒６の対向する側壁ａ，ｃ及び内側容器保持筒７の対向する側壁ａｉ，ｃｉには、図１Ａ（ａ）に示したように、上下方向の中間部に同一高さで同一直線上に直列に設けられたピン挿通孔６ｂ，７ｂがそれぞれ形成されている。
【００１５】
そして、紙容器３０の長さが短い場合には、ピン挿通孔６ｂ，７ｂにストッパーピン（ストッパ）１１を挿通させることにより、このストッパーピン１１により短い長さの紙容器３０の下端を当接させて、紙容器３０の上端部を容器保持筒６，７の上端より僅かに突出させることができるようになっている。
【００１６】
また、内側容器保持筒７の外周面は図１Ｂに示したように紙容器３０の内側に殆ど隙間のない状態で挿入嵌合されている。即ち、内側容器保持筒７の水平断面における外面寸法は、図１Ｂに示したように紙容器３０が遊びのない状態で嵌合できる寸法となっている。これにより、容器切断時に紙容器３０の姿勢が安定した状態で切断されるようになっている。
＜固定切断刃２＞
外側容器保持筒６の隣接する側壁ａ，ｂは互いに垂直に連設されてコーナ部Ｏｃを形成しており、内側容器保持筒７の隣接する側壁ａｉ，ｂｉは互いに垂直に連設されて内側容器コーナ部Iｃを形成している。この内側容器コーナ部Icの上端部には、図１Ｃに示すように、外側容器保持筒６の外側容器コーナ部Ｏｃに向けて延びる取付溝１２が形成されている。また、側壁ｂｉには取付溝１２に向けて延びる貫通穴１２ａが形成され、この貫通穴１２ａの取付溝１２とは反対側の端部内にナット１２ｂが固定されている。
【００１７】
しかも、このナット１２ｂに、固定ネジ１２ｃが螺着されている。そして、この取付溝１２に固定切断刃２が配設され、固定ネジ１２ｃにより側壁ａｉに押し付け固定されている。これにより、固定切断刃２は着脱可能に取付溝１２内に固定されている。この固定切断刃２の先端部の傾斜する切断刃部２ａは、外側容器コーナ部Ｏｃまで延びていると共に、容器挿入空間９の上端部内に配設されている。
【００１８】
また、固定ネジ１２ｃを緩めることで切断刃部２ａの容器挿入空間９への突出長さを調整できる。また、固定切断刃２が切れなくなったときには、固定ネジ１２ｃを緩めることで固定切断刃２を取付溝１２から取り外して交換できる。尚、１２ｄは、固定ネジ１２ｃの頭部（符号省略）とナット１２ｂとの間に介装されたワッシャである。
【００１９】
尚、固定ネジ１２ｃにはナット１２ｂとは別の締付ナット（図示せず）を螺着しておいて、固定ネジ１２ｃで固定切断刃２を押し付け固定した後、締付ナット（図示せず）をナット１２ｂに対して当接するように締め付けることにより、固定ネジ１２ｃが緩まないようなダブルナットとすると良い。
＜可動アーム３＞
上述した外側容器保持筒６の側壁ｄの上端には、図１に示したように、アーム取付凸部１３が一体に設けられている。このアーム取付凸部１３上には、側壁ｄの上端面の中央部に対応させて可動アーム３の一端部が回動支持軸１４を介して水平回転自在に取り付けられている。しかも、可動アーム３は、外側容器保持筒６および内側容器保持筒７の上端面と間隔をおいて、この上端面と平行な方向に回動支持軸１４を中心に回転できるようになっている。尚、本実施例では、可動アーム３は、上下に配設した板状アーム部材３ａ，３ｂを間隔を置いて一体に固定したものであるが、必ずしもこれに限定されるものではない。
【００２０】
この可動アーム３の自由端部には、軸線を回動支持軸１４の軸線と平行に設けた操作ツマミ取付軸１５が上方に向けて取り付けられている。尚、図１では操作ツマミ取付軸１５にネジ部材のみを用いた状態で示しているが、実際には図１Ｄに二点鎖線で示したように操作ツマミ取付軸１５に操作ツマミ１６を螺着して操作ハンドルとする。
＜可動切断刃４＞
また、板状アーム部材３ｂ下面には、操作ツマミ取付軸１５側に位置させて刃取付部材１７が固定されている。この刃取付部材１７は、可動アーム３を回動支持軸１４を中心に回転させたときに、方形状の容器挿入空間内９の上端より外側で移動するようになっている。
【００２１】
しかも、板状アーム部材３ｂの下方には、板状アーム部材３ｂと平行に且つ板状アーム部材３ｂと間隔をおいた薄板状の可動切断刃４が配設されている。この可動切断刃４は、基端部が刃取付部材１７に図示を省略したネジ等の固定手段（固定具）で着脱可能に取り付けられている。この可動切断刃４は、一側に切断刃部４ａが設けられていると共に、刃先が回動支持軸１４側に向け延設されている。尚、この可動切断刃４は、薄刃のカッターが用いられている。また、この可動切断刃４には市販のカッター刃を用いることもできる。本実施例では、可動切断刃４を刃取付部材１７に固定しているが、可動切断刃４の回動支持軸１４側への突出量を調整可能に設けることもできる。この調整構造としては、市販のカッターの構造を適用できる。
【００２２】
しかも、可動切断刃４は、先端部４ｂが鋭角に形成されていて、可動アーム３を回動支持軸１４を中心に回転させたときに、切断刃部４ａの刃先に近い部分が方形で環状の内側容器保持筒７の上端面より内側を回動移動するように設定されている。この回動移動に際して、可動切断刃４と外側容器保持筒６および内側容器保持筒７の上端面と微小な間隔が形成されるように設定されている。
【００２３】
尚、可動切断刃４は、固定切断刃２のわずか上方を接触しないように回転移動するように設定されている。しかも、この回転移動に際して、可動切断刃４が紙容器３０の底壁面の僅かに下側を通るように設定されている。その結果、縦の切断稜線と水平切断線とが僅かに離れ、図１０のように切れずに残った部分ができる。
【００２４】
また、板状アーム部材３ａ，３ｂにはカバー取付板１８が配設されている。このカバー取付板１８は、板状アーム部材３ａ，３ｂに図示しないネジ等の固定手段で固定されていると共に、可動切断刃４の切断刃部４ａに対応する側が板状アーム部材３ａ，３ｂ間から突出している。このカバー取付板１８の突出部には、切断刃部４ａ側の上方を覆うカバー板（保護カバー）１９が取り付けられている。
＜アーム固定装置５＞
このアーム固定装置５は、図1に示したように外側容器保持筒６の側壁ａ，ｃの上端部にヒンジ（蝶番）２０ａ，２１ａを介してそれぞれ取り付けた蓋体２０，２１を有する。この蓋体２０，２１は、ヒンジ２０ａ，２１ａを中心に観音開き状に開くことができる。そして、蓋体２０，２１を閉じたときに、蓋体２０，２１を固定するロック装置（固定手段）２２が設けられている。
【００２５】
このロック装置２２は、図２に示したように蓋体２０の先端部に取り付けた係止爪２３と、蓋体２１の先端部に支持軸２４ａを中心に回動可能に取り付けた操作部材２４と、操作部材２４に取り付けた線状バネ製のＣ字状の係止部材２５を有する。
【００２６】
また、蓋体２１には、操作部材２４を蓋体21側に倒したときに操作部材２４のスリット２４ｂから突出する支持板２６が固定されている。この支持板２６の先端部には貫通穴２６ａが形成されている。尚、ロック装置２２は、蓋体２０，２１を不使用時に連結固定できれば良く、必ずしも本実施例に限定されるものではない。
[作用]
次に、このような構成の紙容器切断展開処理器の使用状態を説明する。
(1).不使用時
紙容器切断展開処理器の不使用時には、図３に示したように可動アーム３を側壁ａ，ｃと平行にした状態で、図２に示したように蓋体２０，２１を可動アーム３の上部を覆うように閉じる。この際、蓋体２０，２１は固定切断刃２および可動切断刃４を覆うことになる。
【００２７】
この状態で図２に示したように、ロック装置２２の線状の係止部材２５の先端部を係止爪２３に係止させて、操作部材２４を蓋体２１側に倒すことにより、蓋体２０，２１は係止部材２５のバネ力により可動アーム３に押し付けられるように互いに固定される。この状態では、固定切断刃２および可動切断刃４が蓋体２０，２１で覆われているので、安全が確保できる。
【００２８】
このようなロック時には、支持板２６の先端部が操作部材２４のスリット２４ｂから突出するので、この支持板２６の先端部に設けた貫通穴２６ａを利用して、紙容器切断展開処理器を壁等に吊り下げるように収納できる。
(2).使用時
（ａ）．１０００ｍｌの紙容器
また、図５において、３０は１０００ｍｌの牛乳パックやジュースパック等の直方体状の紙容器（紙パック容器）である。この紙容器３０は、長手方向の一端部に注ぎ口端部３０ａを有し、他端部に底壁３０ｂを有する。また、紙容器３０は、4つの側壁３０ｃ１〜３０ｃ４を有する。３０ｄは隣接する側壁３０ｃ１，３０ｃ２との間の角部となる稜線、３０ｅは隣接する側壁３０ｃ３，３０ｃ４との間の角部となる稜線、３０ｆは隣接する側壁３０ｃ１，３０ｃ４との間の角部となる稜線、３０ｇは側壁３０ｃ４と底壁３０ｂとの間の角部となる稜線である。
【００２９】
このような紙容器３０を紙容器切断展開処理器で切断処理して展開する前に、紙容器３０内を水洗いして、この水洗いした紙容器３０の注ぎ口端部３０ａを開いた状態にしておく。
【００３０】
一方、紙容器切断展開処理器を使用する際には、ロック装置２２による蓋体２０，２１のロックを解除して、図３のように蓋体２０，２１を開いた後、可動アーム３を図4に示したように外側容器保持筒６の側壁ｄの上面に沿う方向に回動させる。尚、開いた蓋体２０，２１は、側壁ａ、ｂに対して垂直（水平）に向いた状態となって、可動切断刃４の切断刃部４ａの下方を覆う保護カバーの役割を果たす。
【００３１】
そして、図５に二点鎖線で示したように紙容器３０の開いた注ぎ口端部３０ａを図５に示したように下方に向けて紙容器切断展開処理器の上方に配設し、紙容器３０を注ぎ口端部３０ａから容器挿入空間９内に実線で示したように挿入する。この際、紙容器３０の注ぎ口端部３０ａはガイド面６ａ，７ａに案内されて容器挿入空間９内にスムースに挿入される。
【００３２】
この後、図１Ａ（ａ）に示したように、紙容器３０を注ぎ口端部３０ａの注ぎ口端縁３０ａ１がストッパ筒体８に当接するまで押し下げる。この注ぎ口側端部３０ａの注ぎ口端縁３０ａ１がストッパ筒体８に当接した位置では、紙容器３０の底壁３０ｂが外側容器保持筒６および内側容器保持筒７の上端面から微小な間隔（数ミリ、例えば１〜3ｍｍ）をおいて浮いた状態で、紙容器３０が図１Ａ（ａ），図６（ａ）に示したように容器挿入空間９より僅かに上方に突出した状態となる。
【００３３】
このような挿入に際して、紙容器３０は稜線３０ｄの部分が、図1，図６（ａ）の固定切断刃２の切断刃部２ａにより注ぎ口端縁３０ａ１から紙容器３０の底壁３０ｂの近傍の部分まで確実に切断されることになる。
【００３４】
この後、可動アーム３を、先端部が図６の右側を向いている状態から図７の実線で示した位置を通過して図８の左側を向いた位置まで、矢印Ｂで示した方向に回動支持軸１４を中心に回動させる。
【００３５】
この回動に伴い可動アーム３に取り付けた可動切断刃４は、切断刃部４ａの刃先先端が側壁３０ｃ４に稜線３０ｅの近傍の部分に斜めから突き刺さって切り口ができた後、そこから切り開くように稜線３０ｅ，側壁３０ｃ３，３０ｃ２，３０ｃ１の底壁３０ｂの僅か下側の部分（底壁３０ｂから1〜5ミリ程度（数ミリ）下の部分）を底壁３０ｂに沿って順に切断して、最後に稜線３０ｆを切断する。このとき、容器保持筒６，７により紙容器３０がしっかり保持されているため、紙容器３０がゆがまずに切断できる。この切断が完了すると、紙容器３０の底壁３０ｂは図８に示したように稜線３０ｇの部分から上方に開くことができる。
【００３６】
次に、底壁３０ｂを掴んで、紙容器３０を図９に矢印Ｂ１で示したように容器挿入空間９から上方に引き抜く。この状態では、紙容器３０の稜線３０ｄは、図１０に示したように底壁３０ｂ側の部分に切断されていない短い未切断部３０ｈがあるので、この未切断部３０ｈを引き裂くことにより、図１１に示したように紙容器３０を展開して、平面上に開くことができる。
（ｂ）．５００ｍｌの紙容器
また、５００ｍｌの牛乳パックやジュースパック等の直方体状の紙容器３０では、長さが１０００ｍｌのものの半分になる。この場合には、ストッパーピン１１をピン挿通孔６ｂ、７ｂに挿入することで、容器挿入空間9内に紙容器３０を挿入したときに、このストッパーピン１１に紙容器３０の注ぎ口端縁（開放端縁）３０ａ１が当接して、紙容器３０の底壁30ｂ側の端部が容器挿入空間９から僅か（数ミリ）に突出した状態で係止される。
＜変形例＞
以上説明した実施例では、ストッパーピン１１を外側容器保持筒６側壁ａ，ｃに設けたピン挿通孔６ｂ，７ｂと内側容器保持筒７側壁ａｉ，ｃｉに設けたピン挿通孔６ｂ，７ｂに跨って取り付けるようにしたが、必ずしもこれに限定されるものではない。
【００３７】
例えば、図１Ａ（ｂ）に示したように、短い板状のストッパ部材１１ａをストッパとして２つ用意し、この２つのストッパ部材１１ａを対向する側壁ａ，ａｉに設けたピン挿通孔６ｂ，７ｂに跨って挿入させると共に対向する側壁ｃ，ｃｉに設けたピン挿通孔６ｂ，７ｂに跨って挿入させるようにすることもできる。この場合、ストッパ部材１１ａにフランジ１１ａ１（挿入規制部）を設けて、ストッパ部材１１ａが必要以上に挿入されないようにする。しかも、貫通孔６ｂ，７ｂを横方向にスリット状延びる形状にする。
【００３８】
この構成によれば、紙容器３０の注ぎ口端縁（開放端縁）３０ａ１をストッパ部材１１ａの平面で受けることができるので、紙容器３０の注ぎ口端縁（開放端縁）３０ａ１を安定支持できる。しかも、必要最小限の長さにできるので、材料の節約ができ、ストッパを安価に作ることができる。尚、１１ａ２はストッパ部材１１ａに設けたツマミ部である。
【００３９】
更に、ストッパーピン１１に代えて容器挿入空間９の開放端に向けて無段階に位置調整可能なストッパを容器挿入空間９内に配設することもできる。このストッパとしては、容器挿入空間９の水平断面と同じ形状で方形状の環状体とすることもできる。そして、この環状体を送りネジ等で上下動可能に設けることもできる。また、上下に延びて容器挿入空間９に開口する細いスリットを設けて、環状体この調整スリットから突出するネジを設け、このネジに固定ナットを螺着することで、環状体を容器挿入空間９の上下方向の任意の位置に固定できる。尚、ストッパは環状体に限定されるものではない。即ち、ストッパとしては、調整スリットより僅かに大きな方形板であっても良い。この場合には、方形板に調整スリットに嵌合する回転防止用の角状の凸部を設ければ良い。そして、この凸部にネジを設け、このネジに固定ナットを螺着することで、環状体を容器挿入空間９の上下方向の任意の位置に固定できる。
【００４０】
以上説明したように、この発明の実施の形態の紙容器切断展開処理器は、紙容器３０を開いた注ぎ口端部３０ａから底壁３０ｂ近傍の部分まで挿入可能な方形状の容器挿入空間９が設けられた容器保持用の本体（容器保持筒１）と、前記紙容器３０を前記容器挿入空間９に挿入させる際に、前記紙容器３０を注ぎ口端縁３０ａ１から底壁３０ｂ近傍の部分まで切断可能に前記容器挿入空間９の開放端部に位置させて前記本体（容器保持筒１）に取り付けられた固定切断刃２を備えている。また、紙容器切断展開処理器は、前記本体（容器保持筒１）に設けられて前記紙容器３０の底壁３０ｂ側の端部を前記容器挿入空間９から突出させた状態で前記紙容器３０の注ぎ口端縁（開放端縁）３０ａ１を当接させるストッパ（ストッパ筒体８、ストッパーピン１１、ストッパ部材１１ａ）と、前記本体（容器保持筒１）の前記容器挿入空間９の開放端の縁部に沿って移動可能に前記本体（容器保持筒１）に取り付けられて、移動に伴い前記容器挿入空間９に挿入された前記紙容器３０の底壁３０ｂ側の端部の3つの側面を切断する可動切断刃４を備えている。
【００４１】
この構成によれば、直方体状の紙容器３０の側部を固定切断刃２により注ぎ口端縁３０ａから底壁３０ｂ近傍の部分まで一稜線に沿って直線的に切断処理できる。しかも、紙容器の３０の底壁３０ｂ側の端部を可動切断刃４により底壁３０ｂの一辺を残して切断処理でき、展開状とすることができる。このような切断処理は、熟練を要していない作業者でも迅速且つ容易に正確に実行できる。この固定切断刃２により切断する位置は、紙容器３０の稜線３０ｄの部分であっても良いし、紙容器３０の側壁の稜線３０ｄ近傍の部分であっても良いし、紙容器３０の側壁ａの稜線３０ｄから離れた部分であっても良い。
【００４３】
また、この発明の実施の形態の紙容器切断展開処理器において、前記ストッパ（ストッパーピン１１、ストッパ部材１１ａ）は前記紙容器３０の底壁３０ｂから注ぎ口端縁（開放端縁）３０ａ１までの長さに応じた位置に着脱可能に設けることができるようになっている。この構成によれば、寸法の異なる紙容器でも一つの紙容器切断展開処理器で切断展開処理をすることができる。
【００４４】
更に、この発明の実施の形態の紙容器切断展開処理器において、前記固定切断刃２は前記容器挿入空間９の開放端側のコーナ部Ｉｃ内に先端部が傾斜するように配設されている。この構成によれば、直方体状の紙容器３０の側部の稜線３０ｄを固定切断刃２の傾斜する切断刃部２ａで直線状に切断することができる。
【００４５】
また、この発明の実施の形態の紙容器切断展開処理器において、前記本体（容器保持筒１）の前記容器挿入空間９の開放端側端部には、前記紙容器３０の開いた注ぎ口端部３０ａを前記容器挿入空間９に挿入させる際に、前記注ぎ口端部３０ａを前記容器挿入空間９内に案内するガイド面（６ａ，７ａ）が設けられている。この構成によれば、紙容器３０を容器挿入空間９内に挿入する際に、紙容器３０の開いた注ぎ口端部３０ａを容器挿入空間９内にガイド面（６ａ，７ａ）で案内させることで、紙容器３０を容器挿入空間９内に迅速且つ容易に挿入できる。
【００４６】
また、この発明の実施の形態の紙容器切断展開処理器において、前記方形状の容器挿入空間９は角筒状の外側容器保持筒６と外側容器保持筒６内に配設された角筒状の内側容器保持筒７との間に角筒状に形成されている。この構成によれば、直方体状の紙容器３０を容器挿入空間９内に、切断時も歪まずに安定した状態で保持できる。
【００４７】
また、この発明の実施の形態の紙容器切断展開処理器において、前記可動切断刃４は前記本体（容器保持筒１）に回動可能に取り付けられた可動アーム３に着脱可能に保持されている。この構成によれば、可動切断刃４の交換が容易である。
【００４８】
また、この発明の実施の形態の紙容器切断展開処理器において、観音開き状に開くことが可能で且つ閉じたときに前記可動アーム３を覆うことが可能な一対の蓋体２０，２１が前記本体（容器保持筒１）に取り付けられていると共に、閉じた一対の前記蓋体２０，２１を固定可能なロック装置２２が設けられている。この構成によれば、不使用時に可動切断刃４を安全な状態で固定し、且つ前記固定切断刃２を安全な状態で覆うことができる。
【符号の説明】
【００４９】
１・・・容器保持筒（本体）
２・・・固定切断刃
３・・・可動アーム
４・・・可動切断刃
６・・・外側容器保持筒
６ａ・・・ガイド面
７・・・内側容器保持筒
７ａ・・・ガイド面
８・・・ストッパ筒体（ストッパ）
９・・・容器挿入空間
１１ａ・・・ストッパ部材（ストッパ）
２０，２１・・・蓋体
２２・・・ロック装置
３０・・・紙容器
３０ａ・・・注ぎ口端部
３０ｂ・・・底壁
【図１】
0005255038.tif 000002
【図１Ａ】
0005255038.tif 000003
【図１Ｂ】
0005255038.tif 000004
【図１Ｃ】
0005255038.tif 000005
【図１Ｄ】
0005255038.tif 000006
【図２】
0005255038.tif 000007
【図３】
0005255038.tif 000008
【図４】
0005255038.tif 000009
【図５】
0005255038.tif 000010
【図６】
0005255038.tif 000011
【図７】
0005255038.tif 000012
【図８】
0005255038.tif 000013
【図９】
0005255038.tif 000014
【図１０】
0005255038.tif 000015
【図１１】
0005255038.tif 000016